(57)【要約】      （修正有）【課題】放熱効果を高めた放熱装置を提供する。【解決手部】放熱装置２は、ベース２１及びヒートパイプ２３を含む。ベース２１の一方の側面には、ヒートパイプ２３が収容される収容溝２１０が凹設される。ヒートパイプ２３は、第１の吸熱部２３１１と、第２の吸熱部２３１２と、第１の吸熱部２３１１と第２の吸熱部２３１２との間に配置される第３の吸熱部２３１３と、第１の熱伝達部２３２１と、第２の熱伝達部２３２２と、を有する。第１の吸熱部２３１１、第２の吸熱部２３１２及び第３の吸熱部２３１３に吸収された熱が外側の第１の熱伝達部２３２１及び第２の熱伝達部２３２２に伝達される。【選択図】図５
0003174591.tif 000002
【実用新案登録請求の範囲】
【請求項１】
ベース及びヒートパイプを備える放熱装置であって、
前記ベースは、収容溝を有し、前記収容溝は、前記ベースの一方の側面上に凹設され、
前記ヒートパイプは、前記収容溝内に収容される上、第１の吸熱部、第２の吸熱部、第３の吸熱部、第１の熱伝達部及び第２の熱伝達部を有し、前記第３の吸熱部は、前記第１の吸熱部と前記第２の吸熱部との間に配置され、前記第１の熱伝達部は、前記第１の吸熱部の端部から外部に湾曲し、前記第１の吸熱部と隣り合う前記第３の吸熱部の一方の端部に接続され、前記第２の熱伝達部は、前記第３の吸熱部の他方の端部から外部に湾曲し、前記第３の吸熱部と隣り合う前記第２の吸熱部の端部に接続されることを特徴とする放熱装置。
【請求項２】
前記第１の吸熱部、前記第２の吸熱部及び前記第３の吸熱部により、吸熱部が画定される上、前記第１の熱伝達部及び前記第２の熱伝達部により、熱伝達部が画定されることを特徴とする請求項１に記載の放熱装置。
【請求項３】
前記ベースには、開口部が設けられ、前記開口部は、前記ベースの他方の側面上に設けられる上、前記収容溝と連通することを特徴とする請求項２に記載の放熱装置。
【請求項４】
前記開口部には、熱伝達部材が収容され、前記熱伝達部材の一方の側面は、前記吸熱部の一方の側面に貼設され、前記熱伝達部材の他方の側面には、発熱素子が貼設されることを特徴とする請求項３に記載の放熱装置。
【請求項５】
前記収容溝は、前記ベースの一方の側面から前記ベースの他方の側面まで貫通し、前記ヒートパイプの一方の側面及び他方の側面は、前記ベースの一方の側面及び他方の側面と同一平面であることを特徴とする請求項２に記載の放熱装置。
【請求項６】
前記ベースには、蓋体が対向接続され、前記蓋体には、第１側と、前記第１側と反対側の第２側が設けられ、前記第１側は、前記ベースの一方の側面に貼設され、前記ヒートパイプを密封することを特徴とする請求項２に記載の放熱装置。
【請求項７】
前記蓋体上には、複数の放熱フィンが設けられ、前記複数の放熱フィンは、前記第２側から軸方向に延伸して構成されることを特徴とする請求項６に記載の放熱装置。
【請求項８】
前記ベースの一方の側面には、放熱ユニットが対向接続され、前記放熱ユニットは、複数の放熱フィンから構成される放熱器又は放熱フィン群であることを特徴とする請求項４に記載の放熱装置。
【請求項９】
前記ベースの他方の側面には、放熱ユニットが対向接続され、前記放熱ユニットは、複数の放熱フィンから構成される放熱器又は放熱フィン群であることを特徴とする請求項２又は５に記載の放熱装置。
【請求項１０】
前記第１の吸熱部、前記第２の吸熱部、前記第３の吸熱部、前記第１の熱伝達部及び前記第２の熱伝達部が一体成形されることにより、前記ヒートパイプが形成されることを特徴とする請求項１に記載の放熱装置。
【請求項１１】
前記収容溝には、開放側及び密封側が設けられ、前記開放側及び前記密封側により、前記収容溝が画定されることを特徴とする請求項２に記載の放熱装置。
【請求項１２】
前記吸熱部は、第１の側面及び第２の側面を有し、前記熱伝達部は、第３の側面と、前記第３の側面と反対側の第４の側面と、を有し、前記第２の側面及び前記第４の側面は、前記密封側に貼設されることを特徴とする請求項１１に記載の放熱装置。
【請求項１３】
前記第２の側面及び前記第４の側面は、Ｄ字状であり、前記密封側の形状は、前記第２の側面及び前記第４の側面の形状と合致することを特徴とする請求項１２に記載の放熱装置。
【請求項１４】
前記ヒートパイプは、８字状又はＳ字状であることを特徴とする請求項１に記載の放熱装置。
【請求項１５】
前記収容溝の形状は、前記ヒートパイプの形状と合致することを特徴とする請求項１に記載の放熱装置。
【請求項１６】
前記ヒートパイプが前記収容溝内に収容される方式は、圧入、はんだ接合、嵌合又は接着であることを特徴とする請求項１に記載の放熱装置。
【考案の詳細な説明】
【技術分野】
【０００１】
本考案は、放熱装置に関し、特に、熱伝達効率を大幅に高めることができ、従来の放熱装置における、ヒートパイプの低熱伝導部によって熱伝達効率を高めることができない問題を改善することができる放熱装置に関する。
【背景技術】
【０００２】
現在、電子素子（例えば、ＣＰＵ又は他の実行ユニット）の放熱に用いられる放熱装置は、熱伝達部材であるベースが電子素子と接触される。ベースと電子素子とが接触した際、電子素子は、ベース底面の中央部分のみと接触するため、ベースの熱伝達能力が限定され、電子素子から発生する熱をベースの中央からベース全体に迅速に伝達させることができない。これにより、ベース全体の熱伝達効率を高めることができないため、当業者は、前述の問題を解決するために、ベースが改良された放熱装置を案出した。
【０００３】
図１〜図３を参照する。図１〜図３に示すように、従来の放熱装置１は、ベース１０及び複数のヒートパイプ１２を含む。ベース１０は、収容溝１０１及び開口部１０２を有する。収容溝１０１は、ベース１０の一方の側面上に凹設され、複数のヒートパイプ１２が収容される。開口部１０２は、ベース１０の他方の側面上に開設され、収容溝１０１と連通し、発熱素子１４（例えば、ＣＰＵ、グラフィックチップ、サウス／ノースブリッジチップ、他の演算チップなど）が収容される。発熱素子１４は、対向するヒートパイプ１２に貼設される。
【０００４】
第１のヒートパイプ１２１は、ベース１０の中央部分に収容され、中央部１２１１が開口部１０２に対向し、両末端１２１３がベース１０の一方の両側の辺縁方向にそれぞれ延伸する。第２のヒートパイプ１２２及び第３のヒートパイプ１２３の中央部１２２１，１２３１は、第１のヒートパイプ１２１の両隣にそれぞれ配置される上、開口部１０２に対向する。第２のヒートパイプ１２２及び第３のヒートパイプ１２３の両末端１２２３，１２３３は、ベース１０の他方の両側の辺縁方向にそれぞれ延伸する。
【０００５】
以上の構造により、発熱素子１４から熱が発生した際、第１のヒートパイプ１２１、第２のヒートパイプ１２２及び第３のヒートパイプ１２３の各中央部１２１１，１２２１，１２３１がその熱を吸収する上、第１のヒートパイプ１２１、第２のヒートパイプ１２２及び第３のヒートパイプ１２３の各両末端１２１３，１２２３，１２３３に熱を伝達し、熱エネルギがベース１０の辺縁まで均一に伝達される。これにより、放熱装置１の熱伝達効率が高められる。
【０００６】
従来の放熱装置１は、複数のヒートパイプ１２の両末端１２１３，１２２３，１２３３により、熱伝達効率が高められるが、その効果は明らかに優れない。その理由としては、第１のヒートパイプ１２１、第２のヒートパイプ１２２及び第３のヒートパイプ１２３の各両末端１２１３，１２２３，１２３３は、熱伝達効率が最も劣る部位である上、複数のヒートパイプ１２内部の作動流体が各両末端１２１３，１２２３，１２３３に滞留するために、低熱伝導部が形成されることが挙げられる。従って、実際は、熱をベース１０辺縁まで伝達することができないため、従来の放熱装置１は、熱伝達効率が低く、放熱効率が優れない。
【０００７】
以上のように、従来の放熱装置は、以下（１）及び（２）に示す欠点を有する。
（１）ヒートパイプが有する低熱伝導部の問題を改善できない。
（２）熱伝達効率に劣る。
【０００８】
そこで、上述の従来技術における問題及び欠点を解決することは、本考案の考案者及び当業者の目標であった。
【考案の概要】
【考案が解決しようとする課題】
【０００９】
本考案の目的は、熱伝達効率（又は熱伝導効率）を大幅に高めることができ、従来の放熱装置における、ヒートパイプの低熱伝導部によって熱伝達効率を高めることができない問題を改善することができる放熱装置を提供することにある。
【課題を解決するための手段】
【００１０】
上述の課題を解決するために、本考案の放熱装置は、ベース及びヒートパイプを含む。ベースは、収容溝を有する。収容溝は、ベースの一方の側面上に凹設される。ヒートパイプは、対応する収容溝内に収容される上、第１の吸熱部、第２の吸熱部、第３の吸熱部、第１の熱伝達部及び第２の熱伝達部を有する。第３の吸熱部は、第１の吸熱部と第２の吸熱部との間に配置される。第１の熱伝達部は、第１の吸熱部の端部から外部に湾曲し、第１の吸熱部と隣り合う第３の吸熱部の一方の端部に接続される。第２の熱伝達部は、第３の吸熱部の他方の端部から外部に湾曲し、第３の吸熱部と隣り合う第２の吸熱部の端部に接続される。
【考案の効果】
【００１１】
本考案の放熱装置の設計により、熱伝達効率を大幅に高めることができ、従来の放熱装置における、ヒートパイプの低熱伝導部によって熱伝達効率を高めることができない問題を改善することができる。
【図面の簡単な説明】
【００１２】
【図１】従来の放熱装置を示す分解斜視図である。
【図２】従来の放熱装置を示す分解斜視図である。
【図３】従来の放熱装置を示す斜視図である。
【図４】本考案の第１実施形態による放熱装置を示す斜視図である。
【図５】本考案の第１実施形態による放熱装置を示す分解斜視図である。
【図６】本考案の第２実施形態による放熱装置を示す斜視図である。
【図７】本考案の第２実施形態による放熱装置を示す分解斜視図である。
【図８】本考案の第３実施形態による放熱装置を示す斜視図である。
【図９】本考案の第３実施形態による放熱装置を示す分解斜視図である。
【図１０】本考案の第４実施形態による放熱装置を示す斜視図である。
【図１１】本考案の第４実施形態による放熱装置を示す分解斜視図である。
【図１２】本考案の第５実施形態による放熱装置を示す斜視図である。
【図１３】本考案の第５実施形態による放熱装置を示す分解斜視図である。
【図１４】本考案の第６実施形態による放熱装置を示す斜視図である。
【図１５】本考案の第６実施形態による放熱装置を示す分解斜視図である。
【図１６】本考案の第７実施形態による放熱装置を示す斜視図である。
【図１７】本考案の第７実施形態による放熱装置を示す一部断面斜視図である。
【図１８】本考案の第７実施形態による放熱装置を示す分解斜視図である。
【考案を実施するための形態】
【００１３】
本考案の目的、特徴および効果を示す実施形態を図面に沿って詳細に説明する。
【００１４】
（第１実施形態）
図４及び図５を参照する。図４は、本考案の第１実施形態による放熱装置を示す斜視図である。図５は、本考案の第１実施形態による放熱装置を示す分解斜視図である。本考案の第１実施形態による放熱装置２は、ベース２１及びヒートパイプ２３を含む。ベース２１は、収容溝２１０を有する。収容溝２１０は、ベース２１の一方の側面上に凹設され、その形状は、ヒートパイプ２３の形状と合致する。ヒートパイプ２３が収容溝２１０内に収容される方式は、圧入、はんだ接合、嵌合又は接着である。
【００１５】
前述のヒートパイプ２３は、収容溝２１０内に収容される上、第１の吸熱部２３１１、第２の吸熱部２３１２、第３の吸熱部２３１３、第１の熱伝達部２３２１及び第２の熱伝達部２３２２を有する。第３の吸熱部２３１３は、第１の吸熱部２３１１と第２の吸熱部２３１２との間に配置される。第１の熱伝達部２３２１及び第２の熱伝達部２３２２は、湾曲し、対向する第１の吸熱部２３１１及び第２の吸熱部２３１２の外側に設けられる。即ち、第１の熱伝達部２３２１は、第１の吸熱部２３１１の端部から外部に湾曲し、第１の吸熱部２３１１と隣り合う第３の吸熱部２３１３の一方の端部に接続される。第２の熱伝達部２３２２は、第３の吸熱部２３１３の他方の端部から外部に湾曲し、第３の吸熱部２３１３と隣り合う第２の吸熱部２３１２の端部に接続される。即ち、図４に示すように、ヒートパイプ２３は、８字状又はＳ字状を呈する。また、第１の吸熱部２３１１、第２の吸熱部２３１２、第３の吸熱部２３１３、第１の熱伝達部２３２１及び第２の熱伝達部２３２２が一体成形されることにより、ヒートパイプ２３が形成される。
【００１６】
図５を続けて参照する。前述の第１の吸熱部２３１１、第２の吸熱部２３１２及び第３の吸熱部２３１３により、吸熱部２３１が画定され、第１の熱伝達部２３２１及び第２の熱伝達部２３２２により、熱伝達部２３２が画定される。また、吸熱部２３１の収容溝２１０と反対側の側面には、発熱素子３（例えば、ＣＰＵ、グラフィックチップ、サウス／ノースブリッジチップ、他の演算チップなど）が直接貼設され、発熱素子３から発生する熱が直接吸収され、熱伝達部２３２に伝達される。吸収された熱は、ベース２１全体に均一且つ迅速に拡散される。熱が均一に伝達されることにより、放熱装置２全体の熱伝達効率が高められ、従来の放熱装置における、ヒートパイプの低熱伝導部によって熱伝達効率を高めることができない問題を改善することができる。
【００１７】
本考案の放熱装置２は、ベース２１とヒートパイプ２３とが一体に結合される設計により、放熱効果を大幅に高めることができ、従来の放熱装置における、ヒートパイプの低熱伝導部によって熱伝達効率を高めることができない問題を改善することができる。
【００１８】
（第２実施形態）
図６及び図７を参照する。図６は、本考案の第２実施形態による放熱装置を示す斜視図である。図７は、本考案の第２実施形態による放熱装置を示す分解斜視図である。図６及び図７に示すように、本考案の第２実施形態による放熱装置２は、第１実施形態による放熱装置２と構造、接続関係及び効果が略同一であるため、同一部分は、ここでは繰り返して述べない。本考案の第２実施形態による放熱装置２は、ベース２１の他方の側面上に放熱ユニット５が対向接続される。本考案の第２実施形態による放熱装置２の放熱ユニット５は、放熱フィン群を例示するが、これのみに限定されず、実施する際、複数の放熱フィンによって放熱器を構成してもよい。また、ベース２１には、単独又は放熱ユニット５と組み合わされる態様により、ファンを設け、放熱効果を強化することができる。
【００１９】
ベース２１の他方の側面と放熱ユニット５との対向接続方式は、圧入、はんだ接合、嵌合又は接着である。
【００２０】
上述の放熱フィン群により、ヒートパイプ２３からベース２１に伝達された熱は、輻射方式によって外部に発散される。これにより、極めて優れた放熱効果が実現される。
【００２１】
（第３実施形態）
図８及び図９を参照する。図８は、本考案の第３実施形態による放熱装置を示す斜視図である。図９は、本考案の第３実施形態による放熱装置を示す分解斜視図である。図８及び図９に示すように、本考案の第３実施形態による放熱装置２は、第１実施形態による放熱装置２と構造、接続関係及び効果が略同一であるため、同一部分は、ここでは繰り返して述べない。本考案の第３実施形態による放熱装置２においては、ベース２１に開口部２１１が設けられる。開口部２１１は、ベース２１の他方の側面上に開設される。即ち、開口部２１１は、ベースの他方の側面の中央部分に形成される上、収容溝２１０と連通する。
【００２２】
また、前述の第１実施形態においては、吸熱部２３１の収容溝２１０と反対側の側面に発熱素子３が直接貼設されるが、第３実施形態においては、吸熱部２３１の収容溝２１０と反対側の側面には、放熱ユニット５が対向接続され、吸熱部２３１の収容溝２１０に対向する側面が熱を吸収する。また、図９に示すように、前述の開口部２１１には、熱伝達部材４が収容される。熱伝達部材４は、金属材料から構成される上、極めて優れた熱吸収効果及び熱伝達効率を有する。
【００２３】
熱伝達部材４の一方の側面は、吸熱部２３１（吸熱部２３１の収容溝２１０に対向する側面）に貼設される。熱伝達部材４の他方の側面は、ベース２１の他方の側面と同一平面となる上、発熱素子３が貼設される。熱伝達部材４は、発熱素子３から発生した熱をヒートパイプ２３の吸熱部２３１に伝達する。吸熱部２３１が吸収した熱は、熱伝達部２３２に伝達される。これにより、吸収された熱は、ベース２１全体に均一且つ迅速に拡散される。次に、放熱ユニット５により、ベース２１及びヒートパイプ２３に吸収された熱が迅速に外部に放熱される。これにより、放熱装置２全体の放熱効果が高められる。
【００２４】
また、前述のベース２１の一方の側面は、はんだ接合、接着又は嵌着により、対向する放熱ユニット５の側面と結合される。また、ヒートパイプ２３の吸熱部２３１及び熱伝達部２３２も対向する放熱ユニット５の側面上に貼設される。放熱ユニット５は、複数の放熱フィンから構成される放熱器又は放熱フィン群である。また、ベース２１には、単独又は放熱ユニット５と組み合わされる態様により、ファンを設け、放熱効果を強化することができる。
【００２５】
（第４実施形態）
図１０及び図１１を参照する。図１０は、本考案の第４実施形態による放熱装置を示す斜視図である。図１１は、本考案の第４実施形態による放熱装置を示す分解斜視図である。図１０及び図１１に示すように、本考案の第４実施形態による放熱装置２は、第１実施形態による放熱装置２と構造、接続関係及び効果が略同一であるため、同一部分は、ここでは繰り返して述べない。前述の第１実施形態においては、吸熱部２３１の収容溝２１０と反対側の一方の側面に発熱素子３が直接貼設されるが、第４実施形態においては、放熱ユニット５が対向接続され、収容溝２１０がベース２１を貫通する。
【００２６】
即ち、収容溝２１０は、ベース２１の一方の側面からベース２１の他方の側面まで貫通する。これにより、ヒートパイプ２３が収容溝２１０内に圧入され、収容される。また、ヒートパイプ２３の一方の側面及び他方の側面は、ベース２１の一方の側面及び他方の側面と同一平面となる。また、吸熱部２３１の一方の側面には、発熱素子３が貼設される。これにより、ヒートパイプ２３の吸熱部２３１が発熱素子３から発生する熱を直接吸収し、熱伝達部２３２に伝達する。これにより、吸収された熱は、ベース２１全体に均一且つ迅速に拡散される。次に、放熱ユニット５により、ベース２１及びヒートパイプ２３に吸収された熱が迅速に外部に放熱される。これにより、放熱装置２全体の放熱効果が高められる。
【００２７】
（第５実施形態）
図１２及び図１３を参照する。図１２は、本考案の第５実施形態による放熱装置を示す斜視図である。図１３は、本考案の第５実施形態による放熱装置を示す分解斜視図である。図１２及び図１３に示すように、本考案の第５実施形態による放熱装置２は、第３実施形態による放熱装置２と構造、接続関係及び効果が略同一であるため、同一部分は、ここでは繰り返して述べない。前述の第３実施形態における放熱ユニット５が第５実施形態においては、蓋体２７となっている。即ち、ベース２１の一方の側面に蓋体２７が対向接続される。蓋体２７は、第１側２７１と、第１側２７１と反対側の第２側２７２と、を有する。第１側２７１が対向するベース２１の一方の側面に貼設されることにより、ヒートパイプ２３が密封される。
【００２８】
実施する際、ユーザは、放熱装置２の設置空間、必要とされる放熱効果及び熱伝達効率に基づき、第２側２７２上に、例えば、放熱器（図示せず）又はヒートパイプ（図示せず）などの放熱ユニットを貼設することができる。これにより、蓋体２７が吸収した熱は、外部に放熱されたり、遠端に伝達されたりし、極めて優れた放熱効果が実現される。
【００２９】
（第６実施形態）
図１４及び図１５を参照する。図１４は、本考案の第６実施形態による放熱装置を示す斜視図である。図１５は、本考案の第６実施形態による放熱装置を示す分解斜視図である。図１４及び図１５に示すように、本考案の第６実施形態による放熱装置２は、第５実施形態による放熱装置２と構造、接続関係及び効果が略同一であるため、同一部分は、ここでは繰り返して述べない。第６実施形態による放熱装置２は、蓋体２７上に複数の放熱フィン２７４が設けられる。複数の放熱フィン２７４は、第２側２７２上から軸方向に延伸して構成される。複数の放熱フィン２７４は、蓋体２７が吸収するヒートパイプ２３上の熱を外部に迅速に放熱する。また、放熱フィン２７４上にファンを設け、放熱効果を強化することができる。
【００３０】
また、ヒートパイプ２３が吸収した熱は、ベース２１の水平方向に伝達されるほか、垂直方向にも伝達される。即ち、熱は、蓋体２７上に直接伝達される上、蓋体２７上の放熱フィン２７４により、外部に迅速に放熱される。これにより、放熱装置２の放熱効果が大幅に高められる。
【００３１】
（第７実施形態）
図１６〜図１８を参照する。図１６は、本考案の第７実施形態による放熱装置を示す斜視図である。図１７は、本考案の第７実施形態による放熱装置を示す一部断面斜視図である。図１８は、本考案の第７実施形態による放熱装置を示す分解斜視図である。図１６〜図１８に示すように、本考案の第６実施形態による放熱装置２は、第１実施形態による放熱装置と構造、接続関係及び効果が略同一であるため、同一部分は、ここでは繰り返して述べない。第７実施形態による放熱装置２は、ヒートパイプ２３の一方の側面が平面であり、他方の側面が非平面である。また、収容溝２１０が有する密封側２１０２の形状がヒートパイプ２３の他方の側面の非平面の形状と合致する。即ち、図１８に示すように、収容溝２１０には、開放側２１０１と、開放側２１０１と反対側の密封側２１０２と、が設けられる。即ち、開放側２１０１及び密封側２１０２により、収容溝２１０が画定される。また、ヒートパイプ２３の吸熱部２３１は、第１の側面２３１５と、第１の側面２３１５と反対側の第２の側面２３１６と、を有する。
【００３２】
また、熱伝達部２３２は、第３の側面２３２４と、第３の側面２３２４と反対側の第４の側面２３２５と、を有する。第１の側面２３１５及び第３の側面２３２４（即ち、ヒートパイプ２３の一方の側面）は、平面である。第１の側面２３１５には、発熱素子３が直接貼設される。また、第２の側面２３１６及び第４の側面２３２５（即ち、ヒートパイプ２３の他方の側面）は、非平面であり、本実施形態においては、Ｄ字状であり、対向する収容溝２１０の密封側２１０２に貼設されるが、これのみに限定されない。
【００３３】
実施する際、ヒートパイプ２３の非平面（即ち、第２の側面２３１６及び第４の側面２３２５）は、ユーザの必要に基づき、非平面の形状（例えば、Ｄ字状、弧状、矩形など）に変更し、収容溝２１０の密封側２１０２も対応する形状に変更することができる。即ち、密封側２１０２の形状は、第２の側面２３１６及び第４の側面２３２５の形状と合致する。
【００３４】
上述したことから分かるように、本考案の放熱装置は、従来の放熱装置と比べて以下（１）〜（３）に示す長所を有する。
（１）熱伝達効率を大幅に高めることができる。
（２）ヒートパイプの低熱伝導部によって熱伝達効率を高めることができない問題を改善することができる。
（３）放熱効果を大幅に高めることができる。
【００３５】
上述の説明は、本考案の好適な実施形態を示すものであり、本考案の上述の方法、形状、構造及び装置を利用した技術は、全て、本考案の範囲に含まれる。
【符号の説明】
【００３６】
２        放熱装置
２１      ベース
２１０    収容溝
２１０１  開放側
２１０２  密封側
２１１    開口部
２３      ヒートパイプ
２３１    吸熱部
２３１１  第１の吸熱部
２３１２  第２の吸熱部
２３１３  第３の吸熱部
２３１５  第１の側面
２３１６  第２の側面
２３２    熱伝達部
２３２１  第１の熱伝達部
２３２２  第２の熱伝達部
２３２４  第３の側面
２３２５  第４の側面
２７      蓋体
２７１    第１側
２７２    第２側
２７４    放熱フィン
３        発熱素子
４        熱伝達部材
５        放熱ユニット
【図１】
0003174591.tif 000003
【図２】
0003174591.tif 000004
【図３】
0003174591.tif 000005
【図４】
0003174591.tif 000006
【図５】
0003174591.tif 000007
【図６】
0003174591.tif 000008
【図７】
0003174591.tif 000009
【図８】
0003174591.tif 000010
【図９】
0003174591.tif 000011
【図１０】
0003174591.tif 000012
【図１１】
0003174591.tif 000013
【図１２】
0003174591.tif 000014
【図１３】
0003174591.tif 000015
【図１４】
0003174591.tif 000016
【図１５】
0003174591.tif 000017
【図１６】
0003174591.tif 000018
【図１７】
0003174591.tif 000019
【図１８】
0003174591.tif 000020